(57)【特許請求の範囲】
【請求項１】
記録紙を切断するための固定刃を有する本体フレームと、
該本体フレームに対して着脱自在な基台、該基台に回動可能な状態で一体的に支持され上記固定刃と協同して記録紙を切断するための可動刃、及び上記基台に一体的に設けられ上記可動刃を回動支軸の近傍において上記基台に付勢するための弾性部材を有する可動刃ユニットと、
該可動刃を駆動するための駆動手段とを備えたことを特徴とするカッタ装置。
【請求項２】
上記固定刃に対して上記可動刃を所定の角度に傾斜させるための傾斜部材が上記基台に一体的に設けられていることを特徴とする請求項１記載のカッタ装置。
【請求項３】
上記駆動手段が上記本体フレームを境にして上記可動刃ユニットと反対側に配設され、上記可動刃の回動支軸が上記本体フレームを貫通して上記駆動手段側に延びるように設けられていることを特徴とする請求項１又は２のいずれか１項記載のカッタ装置。
【請求項４】
上記駆動手段が、駆動モータと該駆動モータの駆動力を上記可動刃に伝達する歯車列を含んで一体的に構成される駆動ユニットからなり、該駆動ユニットが上記本体フレームに取り付けられていることを特徴とする請求項１乃至３のいずれか１項記載のカッタ装置。
【請求項５】
プリンタ本体と、
該プリンタ本体に設けられ、記録紙に対して所定の印刷を行う印刷手段と、
請求項１乃至４のいずれか１項記載のカッタ装置とを備えたことを特徴とするプリンタ。
【発明の詳細な説明】
【０００１】
【発明の属する技術分野】
本発明は、例えばＰＯＳ（Ｐｏｉｎｔ−Ｏｆ−Ｓａｌｅ）システムに用いられる電子キャッシュレジスタ等のプリンタに関し、特に、記録紙を自動的に切断するカッタ装置を備えたプリンタに関する。
【０００２】
【従来の技術】
従来、この種のカッタ装置としては、例えば、特開平９−１９８９０号公報に記載されたものが知られている。
【０００３】
このカッタ装置は、固定刃と移動刃により摺動しながら切断するいわゆるはさみ方式のもので、カッタフレーム上に固定された固定刃と、支軸を中心として可動刃が回動自在に取り付けられた可動刃とを備え、可動刃にモータの駆動力を伝達して動作させることにより記録紙を挟んで切断するように構成されている。
【０００４】
このようなカッタ装置においては、圧縮コイルばねによって可動刃をカッタフレーム側に付勢するようにしている。また、固定刃に対して可動刃を確実に接触させるため、可動刃と固定刃との間に板状の傾斜部材を介在させることが多いものである。
【０００５】
【発明が解決しようとする課題】
ところで、このような従来のカッタ装置においては、刃の摩耗等の理由から、一定期間をおいて刃を交換したり、修理やメンテナンスを行う必要が生ずる。特に、金属を摩耗させるものを多く含む記録紙の場合が顕著である。したがって、この種のカッタ装置としては、可動刃、固定刃及びその取付部品を容易に取り外すことができ、かつ、取り付けも容易な構成を有するものであることが望まれる。
【０００６】
また、この種のプリンタは、店頭等に設置されるものであり、一層の小型化が望まれている。
【０００７】
本発明は、このような従来の技術の課題を解決するためになされたもので、可動刃の交換、修理、メンテナンス等の作業を容易かつ迅速に行いうる小型のカッタ装置及びこれを用いたプリンタを提供することを目的とする。
【０００８】
【課題を解決するための手段】
上記目的を達成するためになされた請求項１記載の発明は、記録紙を切断するための固定刃を有する本体フレームと、この本体フレームに対して着脱自在な基台、この基台に回動可能な状態で一体的に支持され上記固定刃と協同して記録紙を切断するための可動刃、及び上記基台に一体的に設けられ上記可動刃を回動支軸の近傍において上記基台に付勢するための弾性部材を有する可動刃ユニットと、この可動刃を駆動するための駆動手段とを備えたことを特徴とするカッタ装置である。
【０００９】
請求項１記載の発明の場合、可動刃が基台及び弾性部材とともに可動刃ユニットとして構成されているため、可動刃を交換する際には可動刃ユニットを取り外し、またこれを装着する作業だけで済み、これにより修理やメンテナンスの時間を短縮することが可能になる。
【００１０】
この場合、請求項２記載の発明のように、請求項１記載の発明において、上記固定刃に対して上記可動刃を所定の角度に傾斜させるための傾斜部材が上記基台に一体的に設けられていることも効果的である。
【００１１】
請求項２記載の発明によれば、より一層修理やメンテナンスの時間を短縮することが可能になる。
【００１２】
また、請求項３記載の発明のように、請求項１又は２のいずれか１項記載の発明において、上記駆動手段が上記本体フレームを境にして上記可動刃ユニットと反対側に配設され、上記可動刃の回動支軸が上記本体フレームを貫通して上記駆動手段側に延びるように設けられていることも効果的である。
【００１３】
請求項３記載の発明によれば、駆動手段を設けるために形成される空間に回動支軸を配置することができるので、カッタ装置の小型化を図ることができる。
【００１４】
また、請求項４記載の発明のように、請求項１乃至３のいずれかに記載の発明において、上記駆動手段が、駆動モータとこの駆動モータの駆動力を上記可動刃に伝達する歯車列を含んで一体的に構成される駆動ユニットからなり、この駆動ユニットが上記本体フレームに取り付けられていることも効果的である。
【００１５】
請求項４記載の発明によれば、駆動手段がユニットとして構成されているので、カッタ装置の組立時又は修理やメンテナンス時の工程を簡素化することが可能になる。
【００１６】
一方、請求項５記載の発明は、プリンタ本体と、このプリンタ本体に設けられ、記録紙に対して所定の印刷を行う印刷手段と、請求項１乃至４のいずれか１項記載のカッタ装置とを備えたことを特徴とするプリンタである。
【００１７】
請求項５記載の発明によれば、組立又は修理やメンテナンスの時間が短く、かつ、カッタ装置の近傍を小型化したプリンタを得ることができる。
【００１８】
【発明の実施の形態】
以下、本発明に係るカッタ装置及びこれを用いたプリンタの実施の形態を図面を参照して詳細に説明する。
図１は、本実施の形態のプリンタの外観を示す斜視図である。
【００１９】
図１に示すように、本実施の形態のプリンタ１は、キャッシュレジスタ等に組み込まれる活字プリンタで、インクロ−ラ−が着脱可能なプリンタ本体２と、このプリンタ本体２の後方に設けられる巻取り機構３とから構成される。
【００２０】
プリンタ本体２には、記録紙に対して所定の印字を行うための活字輪を有する印字手段（図示せず）と、印字位置に記録紙を送るための図示しない紙送り機構と、印字された記録紙を切断するためのカッタ装置４とが設けられている。
【００２１】
図１に示すように、カッタ装置４は、プリンタ本体２の前方上部に設けられ、以下に説明するような構成を有している。
【００２２】
図２〜図４は、本実施の形態のカッタ装置４の構成を示す分解斜視図である。
【００２３】
また、図５（ａ）は、同カッタ装置４の可動刃ユニットを示す平面図、図５（ｂ）は、同カッタ装置４の可動刃ユニットを示す正面図である。さらに、図６は、同カッタ装置４の構成動作を示す説明図である。
【００２４】
図２に示すように、本実施の形態のカッタ装置４は、本体フレームであって後述する固定刃７等が設けられたプリンタカバー５とカッタカバー６とから構成され、これらが止めねじ８によって組み立てられるようになっている。
【００２５】
一方、図３に示すように、プリンタカバー５には、可動刃９を駆動するための駆動手段である駆動ユニット１０が設けられている。本実施の形態の場合、駆動ユニット１０は、プリンタカバー５の下面に取り付けられている。
【００２６】
プリンタカバー５は、例えばメッキ鋼板等の金属製の四角形状の板状の部材からなり、図２〜４に示すように、その上面の所定の位置に固定刃７が止めねじ１１によって取り付けられている。なお、固定刃７に形成された孔部７ａをプリンタカバー５の所定の位置に形成されたダボ５ａに嵌合することによって固定刃７は所定の位置に位置決めされる。また、プリンタカバー５の上面には、後述する可動刃ユニット１２が止めねじ１３によって着脱自在に取り付けられるようになっている。
【００２７】
図５（ａ）（ｂ）に示すように、本実施の形態の可動刃ユニット１２は、基台である金属製の平板状の受け板１４を有し、この受け板１４に、回動支軸１５を中心として可動刃９が回動自在に取り付けられている。
【００２８】
ここで、回動支軸１５は、受け板１４を貫通してその裏側に延びるように取り付けられている。そして、この回動支軸１５に弾性部材である圧縮コイルばね１６を装着し、止め輪１７によって圧縮コイルばね１６を圧縮した状態で係止することにより、受け板１４に対して可動刃９が付勢されるようになっている。
【００２９】
また、固定刃７に対して可動刃９を所定の角度に傾斜させるためのスペーサ（傾斜部材）１８が、受け板１４上において受け板１４と可動刃９とによって挟持されている。
【００３０】
一方、図４に示すように、プリンタカバー５の所定の位置には、上記圧縮コイルばね１６の外径より若干大きな径を有する孔部５ｂが形成されている。そして、上記回動支軸１５及び圧縮コイルばね１６を上記孔部５ｂに挿入し、その状態で止めねじ１３をスペーサ１８及び受け板１４の孔部１８ａ、１４ａを貫通させてプリンタカバー５のねじ部５ｃにねじ止めすることにより、可動刃ユニット１２がプリンタカバー５上に取り付けられる。なお、可動刃ユニット１２の受け板１４に形成された孔部１４ｂをプリンタカバー５に形成されたダボ５ｄに嵌合することによって受け板１４が位置決めされるようになっている。
【００３１】
図３及び図６に示すように、駆動ユニット１０は、駆動モータ１９と、この駆動モータ１９のトルクを可動刃９に伝達する歯車列（モータ歯車２０ａ、減速歯車２０ｂ、ウォームギア２０ｃ、駆動歯車２０ｄ）２０とがモータフレーム２１に一体的に取り付けられている。一方、プリンタカバー５には開口部５０が形成され、上述したようにプリンタカバー５の下面に駆動ユニット１０を取り付けると、図４に示すように、この開口部５０を介して駆動ユニット１０の歯車列２０等が露出するようになっている。
【００３２】
ここで、円盤状の駆動歯車２０ｄの上面には駆動ピン２０ｅが設けられ、この駆動ピン２０ｅは可動刃９に形成された長孔９ａと係合するようになっている。そして、このような構成により、駆動モータ１９を動作させると可動刃９が回動支軸１５を中心として回動する。なお、モータフレーム２１には、可動刃９の位置を検出するための検出器（図示せず）が設けられ、この検出器は図示しない回路基板に接続されている。
【００３３】
以上述べたように本実施の形態によれば、可動刃９が、圧縮コイルばね１６、スペーサ１８及び受け板１４とともに可動刃ユニット１２として構成されているため、可動刃９を交換する際には可動刃ユニット１２を取り外し、またこれを装着する作業だけで済み、これにより可動刃９の交換やメンテナンスの時間を短縮してコストダウンを達成することができる。
【００３４】
また、本実施の形態においては、プリンタカバー５を境にして可動刃ユニット１２と反対側に駆動ユニット１０が配設され、可動刃９の回動支軸１５がプリンタカバー５を貫通して駆動ユニット１０側に延びるように設けられていることから、駆動ユニット１０の近傍の空間に回動支軸１５を配置することができ、これによりプリンタカバー５上に回動支軸１５が突出しない構成とすることができるので、カッタ装置４の小型化を図ることができる。
【００３５】
また、本実施の形態の場合、駆動モータ１９及び歯車列２０を有する一体的な駆動ユニット１０を用いているので、装置の組立又は修理やメンテナンスの工程を大幅に簡素化しうるものである。
【００３６】
このように本実施の形態によれば、可動刃９の交換、修理、メンテナンス等を容易かつ迅速に行うことができ、しかも組み立てが容易な小型のプリンタ１を安価に提供することができる。
【００３７】
なお、本発明は上述の実施の形態に限られることなく、種々の変更を行うことができる。
例えば、可動刃の形状や本体フレームへの取付位置は上述した実施の形態に限られず、適宜変更することができる。
【００３８】
また、カッタ装置の取付位置も上述した実施の形態に限られず、プリンタ本体の形状に応じて適宜変更することができる。ただし、プリンタの小型化を図るためには、上記実施の形態のように、カッタ装置をプリンタ本体の上部に設けるとともに、駆動手段を下方側、すなわち、プリンタ本体の内部側に配設することが好ましい。
【００３９】
さらに、本発明は活字方式のプリンタのみならず、例えば、インパクトドット方式、サ−マル方式、インクジェット方式のプリンタにも適用しうるものである。
【００４０】
【発明の効果】
以上述べたように本発明によれば、可動刃の交換、修理、メンテナンス等を容易かつ迅速に行うことができ、しかも組み立てが容易な小型のプリンタを安価に提供することができる。
【図面の簡単な説明】
【図１】本発明に係るプリンタの実施の形態の外観を示す斜視図である。
【図２】同実施の形態のカッタ装置の構成を示す分解斜視図である。
【図３】同実施の形態のカッタ装置の構成を示す分解斜視図である。
【図４】同実施の形態のカッタ装置の構成を示す分解斜視図である。
【図５】（ａ）：同実施の形態のカッタ装置の可動刃ユニットを示す平面図である。
（ｂ）：同カッタ装置の可動刃ユニットを示す正面図である。
【図６】同実施の形態のカッタ装置の構成動作を示す説明図である。
【符号の説明】
１    プリンタ
２    プリンタ本体
４    カッタ装置
５    プリンタカバー（本体フレーム）
７    固定刃
９    可動刃
１０    駆動ユニット（駆動手段）
１２    可動刃ユニット
１４    受け板（基台）
１５    回動支軸
１６    圧縮コイルばね（弾性部材）
１８    スペーサ（傾斜部材）
１９    駆動モータ
２０    歯車列
【図１】
0003698190.tif 000002
【図２】
0003698190.tif 000003
【図３】
0003698190.tif 000004
【図４】
0003698190.tif 000005
【図５】
0003698190.tif 000006
【図６】
0003698190.tif 000007